(57)【要約】  機械振動を低減し、印刷圧力が作用しない時間を短くすることができ、さらに、機械的強度、経済性及びメンテナンス性などに優れたブランケット固定装置及びブランケットの固定方法の提供を目的とする。  ブランケット固定装置１は、ブランケット胴５に形成されたカムプレート収納溝５２に、軸心方向に移動自在に収納されたカムプレート２と、ブランケット胴５に移動自在に埋設され、カムプレート２に従動する固定ピン３とを備え、固定ピン３は、カムプレート２が固定位置に移動すると、ブランケット挿入溝５１に挿入された先行端６３及び後行端６４を固定し、かつ、カムプレート２が固定解除位置に移動すると、固定された先行端６３及び後行端６４の固定を解除する。
2010013318.tif 000002
【特許請求の範囲】
【請求項１】
基材としての金属板を有し、先行端及び後行端がブランケット挿入溝に挿入されたブランケットを、ブランケット胴に固定するブランケット固定装置において、
前記ブランケット胴に形成されたカムプレート収納溝に、前記ブランケット胴の軸心方向に移動自在に収納されたカムプレートと、
前記ブランケット胴に、前記ブランケットを固定する方向に移動自在に埋設され、前記カムプレートに従動する固定部材と
を備え、
前記固定部材は、前記カムプレートが所定の固定位置に移動すると、前記ブランケット挿入溝に挿入された前記先行端及び前記後行端の少なくとも一方を固定し、かつ、前記カムプレートが所定の固定解除位置に移動すると、固定された前記先行端及び前記後行端の少なくとも一方の固定を解除する
ことを特徴とするブランケット固定装置。
【請求項２】
前記ブランケット挿入溝の開口部と前記カムプレート収納溝の開口部は、前記ブランケット胴の外周面において、少なくとも一部が重なっていることを特徴とする請求項１に記載のブランケット固定装置。
【請求項３】
前記固定部材が、前記ブランケット挿入溝に挿入された前記先行端及び前記後行端の少なくとも一方を固定するとき、ばね力又は弾性力を利用して、前記ブランケット挿入溝に挿入された前記先行端及び前記後行端の少なくとも一方を押圧することを特徴とする請求項１又は２に記載のブランケット固定装置。
【請求項４】
前記固定部材を、前記カムプレートの挿入されるカムプレート用溝の形成された固定ピンとしたことを特徴とする請求項１〜３のいずれか一項に記載のブランケット固定装置。
【請求項５】
前記カムプレート収納溝に収納された前記カムプレートの抜けを防止し、かつ、前記カムプレート収納溝に収納された前記カムプレートの位置を規制する、位置規制手段として、前記カムプレートの挿入されるカムプレート用溝の形成されたサポートピン、及び、このサポートピンを固定する押えねじを備えたことを特徴とする請求項１〜４のいずれか一項に記載のブランケット固定装置。
【請求項６】
前記カムプレートの端部に、該カムプレートを移動させるための移動治具又は移動装置と係合する係合部を形成したことを特徴とする請求項１〜５のいずれか一項に記載のブランケット固定装置。
【請求項７】
上記請求項１〜６のいずれか一項に記載の前記ブランケット固定装置を用いて、前記ブランケットを、前記ブランケット胴に固定するブランケットの固定方法であって、
前記カムプレートを前記所定の固定解除位置に移動させ、前記固定部材を前記ブランケット挿入溝内から退出させる工程と、
前記ブランケット挿入溝に、前記ブランケットの先行端及び後行端を挿入する工程と、
前記カムプレートを前記所定の固定位置に移動させ、前記固定部材を前記ブランケット挿入溝内に進入させ、前記固定部材が、前記ブランケット挿入溝に挿入された前記先行端及び前記後行端の少なくとも一方を固定する工程と
を有することを特徴とするブランケットの固定方法。
【発明の詳細な説明】
【技術分野】
【０００１】
本発明は、ブランケット固定装置及びブランケットの固定方法に関する。
【背景技術】
【０００２】
新聞の印刷を行う輪転印刷機などにおいては、印刷胴（ブランケット胴）に固定されたブランケットが、走行紙に印刷を行っている。すなわち、回転しているブランケットは、版胴からインキが転写され、この転写されたインキを、走行紙に転写する。【０００３】
上記のブランケットは、様々な構成のものが開発されている。たとえば、基材（ベース）となる布層、クッション層及びゴム層等によって構成されたブランケット（適宜、布層を有するブランケットと略称する。）がある。この布層を有するブランケットは、ブランケット胴の回転に伴う遠心力により、位置ずれ又はたるみなどが起こる。これらを防止するために、布層を有するブランケットは、円周方向にあらかじめ張力を与えた状態で、ブランケット胴に固定される。このブランケットの固定方法として、非特許文献１に示すように、巻き込み方式とＴバー方式が、一般的に知られている。【０００４】
次に、上記の一般的な巻き込み方式とＴバー方式の特徴について説明する。
巻き込み方式は、ブランケットの両端に先端金具（アルミフィレットバー）を取り付け、さらに、ブランケット胴内に収納された一対の巻き込み軸（テンションバー）によって、これらの先端金具を巻き込む方式である。
この方式によれば、ブランケット胴の外周面に露出する挿入溝の幅を、Ｔバー方式のブランケット胴の外周面に露出する溝（Ｔバー挿入溝）の幅より狭くすることができる。【０００５】
ただし、ブランケット胴の外周面の近くに、巻き込み軸を収納するための収納穴（ブランケット胴の両端面からブランケット胴の中央部に向かって穿設される穴）を形成する必要がある。これらの収納穴は、直径が大きく、かつ、ブランケット胴の端面からの加工距離が長いので、ブランケット胴の外周面と収納穴との間の部分（周方向に突出した部分）は、機械的強度が低くなる。これらの部分には、版胴からの転写圧力及びブランケット胴どうしの印刷圧力が、繰り返し荷重として作用するので、寿命（使用期間）が短くなるといった短所がある。また、走行紙が断紙し、紙がブランケット胴に巻き付くと、ブランケット胴の中心軸に向かう半径方向（適宜、内向き半径方向と略称する。）に、想定以上の大きな荷重が作用するので、周方向に突出した部分が折れ曲がるといった短所がある。
また、ブランケット胴のほぼ中央部に、巻き込み軸の先端部を軸支する軸受穴が形成される。この軸受穴は、ブランケット胴の端面から、たとえば、８０ｃｍ以上離れているので、加工精度が低く、巻き込み軸の位置精度が低下するといった短所がある。
さらに、たとえば、巻き込み軸の補修又は交換などを行うとき、ブランケット胴の軸心方向に、巻き込み軸を引き抜く必要がある。この際、一般的に、印刷フレームが障害となり、巻き込み軸を引き抜くことができない。したがって、ブランケット胴を印刷フレームから取り外す必要があり、作業性が悪いといった短所がある。【０００６】
なお、様々な巻込み機構、たとえば、ブランケット胴の一部を別体として、そこに、取り外し可能に収納される巻込み機構なども提案されている。ただし、これらの巻込み機構は、通常、ブランケット胴の周方向の外周面に対する整合性が低く、又は、再度取り付ける際、嵌合精度を維持することが困難であるといった短所がある。【０００７】
Ｔバー方式は、ブランケットの両端に先端金具（アルミフィレットバー）を取り付け、さらに、これらの先端金具を係止するＴバー（Ｔ字型のバー）を、取付けボルトを締め込むことによって、Ｔバー挿入溝に挿入する方式である。
この方式によれば、Ｔバー挿入溝が、ブランケット胴の内向き半径方向に、加工される。これにより、ブランケット胴の機械的強度が低下するといった不具合を回避することができる。さらに、挿入したＴバーを容易に取り外し、また、取り付けることができる。
ただし、Ｔバー方式のブランケット胴の外周面に露出するＴバー挿入溝の幅は、ほぼＴバーの厚さ又は取付けボルトの外形以上の寸法となる。すなわち、Ｔバー挿入溝の開口幅が、大きいといった短所があった。【０００８】
ところで、近年、輪転印刷機は、高速化している。このため、印刷精度及び機械特性に悪影響を与える機械振動を低減することが要望されている。また、印刷するとき、ブランケットどうしの間で、走行紙に対する印刷圧力が作用しない時間を極力短くすることが要望されている。
上記の機械振動及び走行紙に対する印刷圧力が作用しない時間は、ブランケット胴の外周面に露出する挿入溝又はＴバー挿入溝によって発生する。そして、これらの溝幅を狭くすると、機械振動が低減され、また、走行紙に対する印刷圧力が作用しない時間が短くなる。
このため、ブランケット胴の外周面に露出する溝の幅を狭くする技術、及び、これに関連する技術が、様々開発されてきた。【０００９】
例えば、特許文献１には、ブランケット装着部を有しているブランケット胴の技術が開示されている。このブランケット装着部は、軸線と平行の穴、挿入溝、穴に回転可能に支持され、掛かり部と押し出し面を有する引込み軸、及び、回転力付与手段とからなっている。この技術によれば、ブランケット装着中は、挿入溝に挿入したブランケットの咥え尻側を、常に胴内に引き込むことができる。また、ブランケットを取り外すときは、ブランケットの咥え尻側を強制的に胴外に押し出すことができる。【００１０】
また、特許文献２には、印刷胴に形成され、ブランケットの先行端と後行端が挿入される挿入溝と、ブランケットの先行端と後行端が挿入された挿入溝に圧入され、ブランケットの先行端と後行端を、挿入溝の壁面に押しつけて固定するための圧入体を有するブランケット固定装置の技術が開示されている。この圧入体は、ワイヤと、このワイヤを被覆する弾性部材とからなっている。【００１１】
さらに、特許文献３には、平板状ゴム層の下面に薄肉厚の金属板からなる支持体を固着してなる印刷用ブランケットの技術が開示されている。この印刷用ブランケットは、ゴム層の咥え側及び咥え尻側のエッジ部の断面角度θは、表面側を突出させて斜めに形成してある。また、この支持体の両端部は、ゴム層から露出しており、ブランケット胴のスリットに挿入される挿入片として形成されている。【００１２】
ところで、上述した布層を有するブランケットは、ブランケット胴に固定する際、ブランケットに張りを与える機構が必要である。すなわち、布層を有するブランケットは、固定時のたるみを取り除くために、又は、印刷後のたるみを取り除くために、常に、均一かつ適宜な張りを有する必要がある。
これに対し、たとえば、特許文献３に示すように、可撓性を有する薄肉厚の金属板からなる基材と、この基材に貼り付けられたゴム層とからなるブランケット（適宜、メタルバック・ブランケットと略称する。）が開発されている。このメタルバック・ブランケットは、ブランケット胴の外周面に固定するとき、適宜な張りを与える必要がない。すなわち、まず、メタルバック・ブランケットを、ブランケット胴の外周面に密着させ、次に、メタルバック・ブランケットの先行端及び後行端のゴム層のない薄肉厚の金属板を固定する。このようにすることによって、メタルバック・ブランケットは、ブランケット胴に固定される。
上述したように、メタルバック・ブランケットは、布層を有するブランケットに比べて、優れた技術的な特徴を有している。
【特許文献１】特開２００２−１９０７９公報
【特許文献２】特開２００２−３２６３４１公報
【特許文献３】特開２００６−３２７１１６公報
【非特許文献１】日本新聞協会編「新聞印刷ハンドブック第１版第２刷」（第６３項、図３−２４及び図３−２５参照）
【発明の開示】
【発明が解決しようとする課題】
【００１３】
しかしながら、特許文献１のブランケット胴は、引込み軸を収納するための穴を有している。したがって、この技術は、上述した巻き込み方式とほぼ同様の短所を有している。すなわち、ブランケット胴の外周面と穴との間の部分（周方向に突出した部分）は、機械的強度が低くなるといった問題があった。また、引込み軸の軸受穴の加工精度が低く、引込み軸の位置精度が低下するといった問題があった。さらに、引込み軸の補修又は交換などを行うとき、ブランケット胴を印刷フレームから取り外す必要があり、作業性が悪いといった問題があった。【００１４】
また、特許文献２の技術は、ブランケット胴の外周面に露出する挿入溝の幅が、特許文献１及び特許文献３の挿入溝の幅より広いといった問題があった。
さらに、特許文献３には、ほぼ円柱状のカムを用いて、メタルバック・ブランケットを固定する技術が記載されている。この技術のブランケット胴は、ほぼ円柱状のカムを収納するための穴を有している。したがって、この技術は、上述した特許文献１のブランケット胴とほぼ同様の短所を有しているといった問題があった。【００１５】
本発明は、以上のような従来の技術が有する問題を解決するために提案されたものであり、ブランケット挿入溝の幅を狭くすることによって、機械振動を低減し、印刷圧力が作用しない時間を短くすることができ、さらに、機械的強度、経済性及びメンテナンス性などに優れたブランケット固定装置及びブランケットの固定方法の提供を目的とする。
【課題を解決するための手段】
【００１６】
上記目的を達成するため、本発明のブランケット固定装置は、基材としての金属板を有し、先行端及び後行端がブランケット挿入溝に挿入されたブランケットを、ブランケット胴に固定する。このブランケット固定装置は、ブランケット胴に形成されたカムプレート収納溝に、ブランケット胴の軸心方向に移動自在に収納されたカムプレートと、ブランケット胴に、ブランケットを固定する方向に移動自在に埋設され、カムプレートに従動する固定部材とを備えている。この固定部材は、カムプレートが所定の固定位置に移動すると、ブランケット挿入溝に挿入された先行端及び後行端の少なくとも一方を固定し、かつ、カムプレートが所定の固定解除位置に移動すると、固定された先行端及び後行端の少なくとも一方の固定を解除する。【００１７】
また、本発明のブランケットの固定方法は、上記請求項１〜6のいずれか一項に記載のブランケット固定装置を用いて、ブランケットを、ブランケット胴に固定する方法としてある。このブランケットの固定方法は、カムプレートを所定の固定解除位置に移動させ、固定部材をブランケット挿入溝内から退出させる工程と、ブランケット挿入溝に、ブランケットの先行端及び後行端を挿入する工程と、カムプレートを所定の固定位置に移動させ、固定部材をブランケット挿入溝内に進入させ、固定部材が、ブランケット挿入溝に挿入された先行端及び後行端の少なくとも一方を固定する工程とを有する。
【図面の簡単な説明】
【００１８】
【図１】図１は、本発明の一実施形態にかかるブランケット固定装置の、固定状態における概略平面図を示している。
【図２】図２は、図１の概略Ａ−Ａ断面図を示している。
【図３】図３は、図１の概略Ｂ−Ｂ拡大断面図を示している。
【図４】図４は、図１の概略Ｃ−Ｃ拡大断面図を示している。
【図５】図５は、本発明の一実施形態にかかるブランケット固定装置の、固定解除状態における概略断面図を示している。
【図６】図６は、図５の概略Ｄ−Ｄ拡大断面図を示している。
【図７】図７は、本発明の応用例にかかるブランケット固定装置の、固定状態における要部の概略図を示しており、（ａ）は固定ピンを説明するための拡大断面図を示しており、（ｂ）はカムプレートを説明するための断面図を示している。
【発明を実施するための最良の形態】
【００１９】
［ブランケット固定装置の一実施形態］
以下、本発明のブランケット固定装置の一実施形態について、図面を参照して説明する。
図１は、本発明の一実施形態にかかるブランケット固定装置の、固定状態における概略平面図を示している。
また、図２は、図１の概略Ａ−Ａ断面図を示している。
さらに、図３は、図１の概略Ｂ−Ｂ拡大断面図を示している。
また、図４は、図１の概略Ｃ−Ｃ拡大断面図を示している。
図１〜４において、ブランケット固定装置１は、カムプレート２、固定部材としての固定ピン３、圧縮ばね３５、押えねじ４、及び、サポートピン４１を備えている。【００２０】
このブランケット固定装置１は、図３に示すように、基材としての金属板６１とゴム層６２を有するブランケット（メタルバック・ブランケット）６を、ブランケット胴５に固定する。すなわち、固定ピン３が、ブランケット挿入溝５１に挿入された先行端６３及び後行端６４を押圧することによって、ブランケット固定装置１は、ブランケット６をブランケット胴５に固定する。
なお、ブランケット６は、理解しやすいように、想像線（二点鎖線）で示してある。【００２１】
（ブランケット胴）
ブランケット胴５は、外周面に、一方の端面から他方の端面まで、ブランケット挿入溝５１が加工されている。このブランケット挿入溝５１は、図３に示すように、回転方向と反対の方向に傾斜するように、外周面から内部に向かって、形成される。このようにすると、鋭角に折り曲げられたブランケット６の金属板６１からなる先行端６３を、ブランケット挿入溝５１にスムースに挿入することができる。また、先行端６３は、鋭角に折り曲げられているので、先行端６３による係止力を向上させることができる。
さらに、ブランケット６の金属板６１からなる後行端６４は、鈍角に折り曲げられた状態で、ブランケット挿入溝５１にスムースに挿入される。【００２２】
また、ブランケット挿入溝５１の開口部の幅（ブランケット挿入溝５１がブランケット胴５の外周面に露出する部分の幅）は、Ｗである。この寸法Ｗは、ブランケット挿入溝５１の溝幅、及び、ブランケット挿入溝５１の傾斜角度によって決定される。また、上記の露出する部分は、ブランケット胴５の軸心方向と平行な直線状である。さらに、ブランケット胴５の外周面とブランケット挿入溝５１の両側面は、それぞれ円弧状の面取り加工が施されている。通常、上記の面取り加工における円弧の半径は、ブランケット６の先行端６３及び後行端６４の曲げに適した半径である。
本実施形態では、ブランケット挿入溝５１の溝幅（Ｔ）、溝深さ、及び、傾斜角度（θ）を、たとえば、２．５ｍｍ、２０ｍｍ及び６０°としてある。したがって、Ｗは、ほぼ２．９ｍｍ（Ｗ＝Ｔ／ｓｉｎθ）となる。なお、これらの寸法は、上記の寸法に限定されるものではない。【００２３】
ブランケット胴５は、外周面に、一方の端面から他方の端面まで、カムプレート収納溝５２が加工されている。このカムプレート収納溝５２は、図３に示すように、外周面（ほぼ幅Ｗの中心線の位置）から内向き半径方向に、形成される。
また、カムプレート収納溝５２の開口部の幅（カムプレート収納溝５２がブランケット胴５の外周面に露出する部分の幅）は、Ｗ´である。この寸法Ｗ´は、カムプレート２の板厚＋所定のクリアランスとしてある。
本実施形態では、カムプレート収納溝５２の溝幅及び溝深さを、たとえば、２．５ｍｍ及び３３．２ｍｍとしてある。したがって、カムプレート収納溝５２の開口部の幅Ｗ´は、２．５ｍｍとなる。なお、これらの寸法は、上記の寸法に限定されるものではない。また、カムプレート収納溝５２は、通常、内向き半径方向に形成されるが、これに限定されるものではなく、たとえば、どちらかの方向に傾斜するように、形成されてもよい。【００２４】
本実施形態では、カムプレート収納溝５２の開口部（幅Ｗ´の部分）は、ブランケット挿入溝５１の開口部（幅Ｗ（Ｗ>Ｗ´）の部分）に、最も好ましく重なっている。すなわち、幅Ｗ´の中心線は幅Ｗの中心線と一致しており、幅Ｗ´の部分は、幅Ｗの部分の内側に収まっている。このようにすると、カムプレート収納溝５２の開口部の幅及びブランケット挿入溝５１の開口部の幅（カムプレート収納溝５２及びブランケット挿入溝５１がブランケット胴５の外周面に露出する部分の幅）を極力短くすることができる。したがって、印刷精度及び機械特性に悪影響を与える機械振動を極力低減することができる。また、印刷するとき、ブランケット５どうしの間で、走行紙（図示せず）に対する印刷圧力が作用しない時間を極力短くすることができ、印刷品質を向上させることができる。【００２５】
また、図示してないが、幅Ｗ´の部分と幅Ｗの部分とが離れている場合に比べると、幅Ｗ´の部分と幅Ｗの部分とが、部分的に重なっていることは、好ましい。このようにすると、幅Ｗ´の部分と幅Ｗの部分とが離れている場合より、カムプレート収納溝５２及びブランケット挿入溝５１がブランケット胴５の外周面に露出する部分の幅を短くすることができる。上述したように、本実施形態は、幅Ｗ´の部分が幅Ｗの部分の内側に収まっているので、カムプレート収納溝５２及びブランケット挿入溝５１がブランケット胴５の外周面に露出する部分の幅を、極力短くしている。【００２６】
なお、本実施形態では、ブランケット挿入溝５１及びカムプレート収納溝５２は、ブランケット胴５の一方の端面から他方の端面まで、連続的に加工されているが、この構成に限定されるものではない。たとえば、図示してないが、ブランケット胴５の一方の端面からブランケット胴５の中央位置までの、ブランケット挿入溝５１及びカムプレート収納溝５２と、ブランケット胴５の他方の端面からブランケット胴５の中央位置までの、ブランケット挿入溝５１及びカムプレート収納溝５２との軸心に対する位相を、９０°又は１８０°ずらしてもよい。【００２７】
また、本実施形態では、カムプレート収納溝５２及びブランケット挿入溝５１がブランケット胴５の外周面に露出する部分の幅は、上述したように、ほぼ２．９ｍｍとしてあるが、これに限定されるものではない。すなわち、カムプレート２の板厚は、カムプレート２の剛性とカムプレート収納溝５２の加工可能な溝幅によって決定される。また、ブランケット挿入溝５１の溝幅は、加工可能な溝幅によって決定される。したがって、たとえば、ブランケット６の金属板６１の厚さが、０．２ｍｍの場合、外周面に露出する部分の幅を、０．５〜１．９ｍｍとすることも可能である。
さらに、ブランケット胴５は、たとえば、引込み軸（引用文献１参照）、又は、ほぼ円柱状のカム（引用文献３参照）を収納するための、直径が大きく、かつ、深い穴（軸心方向と平行な穴）を加工する必要がない。すなわち、機械的強度が低下する部分（軸心方向と平行な穴により、周方向に突出した部分）が形成されないので、ブランケット胴５の寿命及び耐久性を向上させることができる。また、穴（軸心方向と平行な穴）加工を行わなくてもすむので、加工精度を向上させることができ、また、製造原価のコストダウンを図ることができる。【００２８】
ブランケット胴５は、外周面のブランケット挿入溝５１の幅Ｗの中心線に沿って、等間隔で複数箇所に、固定ピン用穴５３が加工されている。この固定ピン用穴５３は、図３に示すように、外周面（幅Ｗの中心線の位置）から内向き半径方向に、形成される。
本実施形態では、固定ピン用穴５３の、数量、ピッチ（間隔）、穴径及び穴深さを、たとえば、８箇所、２１８ｍｍ、１２ｍｍ及び４９ｍｍとしてある。また、固定ピン用穴５３は、穴周面に滑らかな仕上げ加工が施されており、固定ピン３及び圧縮ばね３５が滑らかに摺動することができる。なお、固定ピン用穴５３の、数量、ピッチ、穴径及び穴深さは、上記の数量、ピッチ（等間隔に限定されない。）及び寸法に限定されるものではない。【００２９】
ブランケット胴５は、外周面の幅Ｗの中心線に沿って、固定ピン用穴５３を挟むように、複数箇所に、雌ねじ５４及びサポートピン用穴５５が加工されている。この雌ねじ５４及びサポートピン用穴５５は、図４に示すように、外周面（幅Ｗの中心線の位置）から内向き半径方向に、形成される。
本実施形態では、雌ねじ５４の、数量、ピッチ（間隔）、ねじ径及びねじ深さを、たとえば、１６箇所、１０９ｍｍ、Ｍ１２及び２５ｍｍとしてある。また、サポートピン用穴５５の数量、穴径及び穴深さを、たとえば、１６箇所、１１ｍｍ及び３９ｍｍとしてある。なお、雌ねじ５４及びサポートピン用穴５５の、数量、ピッチ、及び各寸法は、上記の数量、ピッチ（等間隔に限定されない。）及び各寸法に限定されるものではない。【００３０】
また、上述したように、ブランケット胴５は、外周面のブランケット挿入溝５１の幅Ｗの中心線に沿って、複数の固定ピン用穴５３及び雌ねじ５４が形成される。これらの固定ピン用穴５３及び雌ねじ５４は、ブランケット６によって覆われており、すなわち、固定ピン用穴５３及び雌ねじ５４に対応するブランケット６の部分は、ブランケット胴５の外周面と当接していない。ただし、固定ピン用穴５３及び雌ねじ５４は、外径が小さく、かつ、ブランケット６が固定されたとき、固定ピン用穴５３及び雌ねじ５４に対応するブランケット６の部分は、ブランケット胴５の固定ピン用穴５３及び雌ねじ５４の周囲の部分によって支持される。したがって、ブランケット６は、印刷圧力及び転写圧力に対して、十分使用に耐えることができる。
さらに、ブランケット固定装置１が新聞印刷等の輪転機に用いられる場合、通常、固定ピン用穴５３及び雌ねじ５４は、印刷面の余白の部分に配置されるので、印刷に悪影響を及ぼさない。【００３１】
ブランケット胴５は、両端部の外周面の一部に、半径方向と直交する切欠部５６が形成されている。この切欠部５６によって、カムプレート２の端部が、ブランケット胴５から突出する。切欠部５６は、カムプレート２の端部の下方に、長穴５７が形成されている。たとえば、この長穴５７に係止部材（鉤付き棒）など（図示せず）を挿入することにより、カムプレート２の端部に下方から係止部材を容易に係止することができる。この係止部材を上方（外向き半径方向）に引っ張ることにより、カムプレート２をカムプレート収納溝５２から容易に取り外すことができる。【００３２】
また、ブランケット固定装置１は、図示してないが、カムプレート２を軸心方向に移動させる移動装置を有する構成としてもよい。この移動装置は、たとえば、空気圧又は油圧を利用したシリンダを有する装置であり、シリンダのロッドを係合溝２５に係合させ、容易にカムプレート２を軸心方向に移動させることができる。
なお、この移動装置は、上記の構成に限定されるものではなく、様々な構成の装置を用いることができる。たとえば、図示してないが、ラックとピニオンを有する移動装置としてもよい。このラックは、カムプレート２の端部に設けられており、ピニオンは、ブランケット胴５の端面に設けられている。このピニオンを手動あるいはモータで回転させることにより、カムプレート２を軸心方向に移動させる。さらに、たとえば、リンク、又は、偏心カムなどを用いた移動装置としてもよい。【００３３】
（カムプレート）
カムプレート２は、ブランケット胴５に形成されたカムプレート収納溝５２に、ブランケット胴５の軸心方向に移動自在に収納されている。
カムプレート２は、カムプレート収納溝５２の長さとほぼ同じ長さを有する、細長い金属製の板である。このカムプレート２は、ガイド部２１及びカム部２２が交互に繋がっている。
ガイド部２１は、幅の狭いほぼ長方形状であり、サポートピン４１のカムプレート用溝４２に、ブランケット胴５の軸心方向に移動自在に収納される。ガイド部２１は、上面が押えねじ４の下面と当接し、又は、下面がカムプレート用溝４２の底面と当接する。これにより、カムプレート２の半径方向の位置が規制される。ここで、ガイド部２１の上面と下面は、当接した状態で摺動するので、通常、滑らかな仕上げ加工が施されている。【００３４】
カム部２２は、幅の広いほぼ台形状であり、固定ピン３のカムプレート用溝３１に、ブランケット胴５の軸心方向に移動自在に収納される。カム部２２は、下面（カム面）として、切欠面２３と非切欠面２４を有している。切欠面２３は、カム部２２にほぼ台形状の切欠を加工することにより形成された、緩やかな斜面及び水平面（ブランケット胴５の軸心方向と平行な平面）を有している。また、非切欠面２４は、切欠面２３の平面よりブランケット胴５の軸心側に位置する水平面である。ここで、切欠面２３及び非切欠面２４は、固定ピン３のカムプレート用溝３１の底面と当接した状態で摺動するので、通常、滑らかな仕上げ加工が施されている。
また、カム部２２は、上記のほぼ台形状の切欠を加工しているので、機械的強度を向上させるために、幅をガイド部２１より（ブランケット挿入溝５１に干渉しない範囲で）広くしてある。
さらに、本実施形態では、カム部２２の非切欠面２４とガイド部２１の下面とが同一平面を形成する構成としてある。このようにすると、カムプレート２の構造が単純化でき、製造原価のコストダウンを図ることができる。【００３５】
カムプレート２は、ブランケット胴５の端面側の端部に、カムプレート２を移動させるための移動装置又は移動治具（図示せず）と係合する係合部として、係合溝２５が形成されている。このようにすると、カムプレート２を容易に軸心方向に移動させることができる。
カムプレート２は、図２に示すように、カムプレート２の端面とブランケット胴５の端面が、軸心方向の同じ位置に位置するとき、固定位置にあり、この固定位置より、所定の距離だけ外方向に移動された位置が、固定解除位置である。
また、本実施形態では、カムプレート２の板厚、ガイド部２１の幅、切欠面２３の水平面と非切欠面２４との距離、及び、固定位置と固定解除位置との距離を、たとえば、２．０ｍｍ、１２ｍｍ、４ｍｍ及び２４ｍｍとしてある。なお、これらの寸法は、上記の寸法に限定されるものではない。【００３６】
（固定ピン）
本実施形態では、固定部材として、ブランケット６を固定する方向に移動する（本実施形態では、半径方向に直線的に往復移動する）固定ピン３を用いている。固定ピン３は、ブランケット胴５の固定ピン用穴５３に移動自在に収納され、カムプレート２に従動する。すなわち、この固定ピン３は、金属製の円柱としてあり、側面に、滑らかな仕上げ加工が施されている。これにより、固定ピン３は、固定ピン用穴５３内を滑らかに移動することができる。
また、固定ピン３は、図３に示すように、上部にＲ面（円弧面）の面取り加工が施されている。また、この面取り加工は、Ｒ面（円弧面）の面取り加工に限定されるものではなく、たとえば、ブランケット挿入溝５１の傾斜角度とほぼ同じ角度の斜面を有する截頭円錐状に面取りする加工としてもよい。このようにすると、固定ピン３が、先行端６３及び後行端６４を押圧する面積を広くすることができるので、ブランケット６をより確実に固定することができる。
なお、本実施形態では、複数の固定ピン３が、先行端６３及び後行端６４を押圧する構成としてあるが、この構成に限定されるものではない。たとえば、先行端６３だけを押圧する固定ピン３と、後行端６４だけを押圧する固定ピン３を備える構成としてもよい。【００３７】
固定ピン３は、上面から固定ピン３の軸心に沿って、カムプレート用溝３１が形成されており、このカムプレート用溝３１に、カムプレート２のカム部２２が挿入される。カムプレート用溝３１の溝幅は、カムプレート２の板厚より所定のクリアランス分だけ広く、かつ、カムプレート用溝３１の底面は、Ｒ面（円弧面）の面取り加工が施されている。さらに、カムプレート用溝３１の側面、底面及びＲ面は、滑らかな仕上げ加工が施されており、カムプレート２が滑らかに移動することができる。このようにすると、固定ピン３を単純な構造とすることができるので、加工精度を向上させることができ、また、製造原価のコストダウンを図ることができる。
また、本実施形態では、固定ピン３の高さ及びカムプレート用溝３１の溝深さを、たとえば、３４ｍｍ及び２４ｍｍとしてある。なお、これらの寸法は、上記の寸法に限定されるものではない。【００３８】
本実施形態では、固定ピン３が、ブランケット挿入溝５１に挿入された先行端６３及び後行端６４を固定するとき、圧縮ばね３５のばね力を利用して、先行端６３及び後行端６４を押圧する構成としてある。すなわち、圧縮ばね３５は、図３に示すように、固定ピン用穴５３の下部に収納されており、上方の固定ピン３に上方向（外向き半径方向）へのばね力を作用させる。
したがって、カムプレート２が固定位置に移動するとき、固定ピン３は、圧縮ばね３５のばね力によって、外向き半径方向に移動し、先行端６３及び後行端６４を押圧する。このとき、カムプレート２の下面（切欠面２３）とカムプレート用溝３１の底面は当接せず、これらの間に、隙間ができる。このようにすると、複数の固定ピン３が、ほぼ同じ力（圧縮ばね３５のばね力）で、先行端６３及び後行端６４を押圧する。これにより、ブランケット６を確実に固定することができる。
なお、本実施形態では、圧縮ばね３５によるばね力を用いているが、これに限定されるものではなく、たとえば、後述するように、板ばねなどによるばね力を用いてもよい。【００３９】
（位置規制手段）
本実施形態の位置規制手段として、カムプレート２の挿入されるカムプレート用溝４２の形成されたサポートピン４１、及び、このサポートピン４１を固定する押えねじ４を備えている。この位置規制手段は、カムプレート収納溝５２に収納されたカムプレート２の抜けを防止し、かつ、カムプレート収納溝５２に収納されたカムプレート２の半径方向の位置を規制する。
押えねじ４は、市販の六角穴付き止めねじを用いており、カムプレート収納溝５２に収納されたカムプレート２の抜けを防止する。この押えねじ４は、下面が平面であり、この平面は、滑らな仕上げ加工が施されている。これにより、押えねじ４の下面は、カムプレート２（ガイド部２１）の上面と滑らかに摺動することができる。押えねじ４は、図４に示すように、雌ねじ５４に締め込まれる。締め込まれた押えねじ４は、下部がサポートピン４１を押圧し、かつ、上部が、ブランケット挿入溝５１内に入り込まない構造としてある。これにより、先行端６３及び後行端６４をブランケット挿入溝５１に挿入する際、押えねじ４が障害物となることはない。
また、本実施形態の押えねじ４は、たとえば、ねじの呼びがＭ１２であり、呼び長さが１０ｍｍであり、先端形状が平先としてある。なお、これらの寸法などは、上記の寸法などに限定されるものではない。【００４０】
サポートピン４１は、金属製の円柱としてあり、サポートピン用穴５５に挿入される。このサポートピン４１は、上面からサポートピン４１の軸心に沿って、カムプレート用溝４２が形成されており、このカムプレート用溝４２に、カムプレート２のガイド部２１が挿入される。カムプレート用溝４２の溝幅は、カムプレート２の板厚より所定のクリアランス分だけ広く、かつ、カムプレート用溝４２の溝深さは、ガイド部２１の幅寸法よりわずかに大きくしてある。また、カムプレート用溝４２の側面及び底面は、滑らかな仕上げ加工が施されており、カムプレート２が滑らかに移動することができる。
また、サポートピン４１及び押えねじ４は、ブランケット胴５の半径方向におけるカムプレート２の位置を規制する。すなわち、サポートピン用穴５５の穴深さ寸法、サポートピン４１の高さ寸法及びカムプレート用溝４２の溝深さ寸法によって、カムプレート２の半径方向の位置を規制する。
このようにすると、押えねじ４及びサポートピン４１を単純な構造とすることができるので、製造原価のコストダウンを図ることができる。
また、本実施形態では、サポートピン４１の高さ及びサポートピン４１の溝深さを、たとえば、１８ｍｍ及び１２ｍｍとしてある。なお、これらの寸法は、上記の寸法に限定されるものではない。【００４１】
次に、上記構成のブランケット固定装置１の組立手順及び動作について、図面を参照して説明する。
まず、ブランケット固定装置１の組立手順について説明する。
ブランケット固定装置１の組立手順としては、ブランケット胴５の複数の固定ピン用穴５３に、圧縮ばね３５を挿入する。続いて、固定ピン３を、カムプレート用溝３１がブランケット胴５の軸心方向と平行になるように、固定ピン用穴５３に挿入する。
次に、ブランケット胴５の複数のサポートピン用穴５５に、サポートピン４１を、カムプレート用溝４２がブランケット胴５の軸心方向と平行になるように、挿入する。【００４２】
次に、切欠面２３の水平面がカムプレート用溝３１に対応する位置で、ガイド部２１がカムプレート用溝４２に入るまで、カムプレート２をカムプレート収納溝５２に挿入する。このとき、ガイド部２１がカムプレート用溝４２に入る前に、カム部２２は、カムプレート用溝３１に挿入される。
続いて、ブランケット胴５の複数の雌ねじ５４に、押えねじ４を締め込む。これにより、サポートピン４１を固定するとともに、カムプレート２の上下方向の移動を規制する。
このようにして、ブランケット固定装置１は、容易に組み立てることができる。また、ブランケット固定装置１を分解するときは、上記の組立手順をもどることにより、容易に分解することができる。
さらに、上記の組立及び分解は、ブランケット胴５の外周面から行うことができる。すなわち、ブランケット固定装置１の補修又は交換などを行うとき、ブランケット胴５を印刷フレーム（図示せず）から取り外す必要がないので、作業性を大幅に向上させることができる。【００４３】
次に、ブランケット固定装置１の動作について説明する。
図５は、本発明の一実施形態にかかるブランケット固定装置の、固定解除状態における概略平面図を示している。
また、図６は、図５の概略Ｄ−Ｄ拡大断面図を示している。
図５及び図６において、ブランケット固定装置１は、上述したカムプレート２の移動装置によって、カムプレート２が固定位置から固定解除位置に移動される。
このとき、カムプレート２がカムとして機能し、固定ピン３を内向き半径方向に移動させる。すなわち、固定位置においては、切欠面２３の水平面が、カムプレート用溝３１の底面と当接し、固定ピン３の上部が、ブランケット挿入溝５１内に進入している。続いて、カムプレート２が固定位置から固定解除位置に移動されると、切欠面２３の斜面が、カムプレート用溝３１の底面と当接し、固定ピン３が内向き半径方向に移動する。このとき、圧縮ばね３５は、圧縮される。そして、非切欠面２４が、カムプレート用溝３１の底面と当接すると、固定ピン３の内向き半径方向への移動が停止する。このとき、固定ピン３の上部は、ブランケット挿入溝５１内から内向き半径方向に退出している。
なお、図示してないが、カムプレート２を固定解除位置に移動させたとき、ストッパーを取り付けて、カムプレート２が固定位置に戻らないようにするとよい。このようにすると、作業の安全性を向上させることができる。【００４４】
次に、ブランケット６の先行端６３をブランケット挿入溝５１に挿入し、ブランケット６をブランケット胴５に巻き付け、続いて、後行端６４をブランケット挿入溝５１に挿入する。このとき、固定ピン３の上部は、ブランケット挿入溝５１内から退出しているので、先行端６３及び後行端６４を、ブランケット挿入溝５１に容易に挿入することができる。
なお、ブランケット６は、あらかじめ、先行端６３及び後行端６４が、ブランケット挿入溝５１の傾斜角度と対応するように、折り曲げられている。また、先行端６３及び後行端６４は、ブランケット胴５の軸心方向の位置が合うように、ブランケット挿入溝５１に挿入される。【００４５】
次に、ブランケット固定装置１は、ストッパーが取り外され、上述したカムプレート２の移動装置によって、カムプレート２が固定解除位置から固定位置に移動される。
このとき、カムプレート２がカムとして機能し、固定ピン３が外向き半径方向に移動する。すなわち、図示してないが、切欠面２３の斜面が、カムプレート用溝３１の底面と当接しながら移動することによって、圧縮ばね３５のばね力が作用している固定ピン３は、外向き半径方向に移動し、ブランケット挿入溝５１内に進入する。そして、固定ピン３の上部は、圧縮ばね３５のばね力によって、ブランケット挿入溝５１の上方の斜面と固定ピン用穴５３とが交差する縁部に、先行端６３及び後行端６４を押圧し固定する。ここで、カムプレート２が固定解除位置から固定位置に移動されると、切欠面２３の水平面が、カムプレート用溝３１の底面から離れた状態となる。したがって、複数の固定ピン３が、ほぼ同じばね力で、先行端６３及び後行端６４を押圧することができるので、ブランケット６を確実に固定することができる。【００４６】
次に、ブランケット胴５に印刷圧力を加えた状態で、ブランケット胴５を、クローリング速度で所定の時間、回転させる。これにより、ブランケット胴５とブランケット６の金属板６１との隙間を完全に取り去る。すなわち、ブランケット６を巻き付けた際のたるみは、この回転によって、後行端６４の側に移動し、後行端６４がブランケット挿入溝５１のさらに奥側に自動的に押し込まれる。このとき、後行端６４は、固定ピン３の押圧力を受けているが、ブランケット挿入溝５１のさらに奥側に移動し、移動した後は、再び、固定ピン３によって固定される。【００４７】
固定ピン３の取り付けられたブランケット胴５は、通常の印刷運転を行う。
ここで、本実施形態のブランケット固定装置１は、上述したように、カムプレート収納溝５２の開口部の幅及びブランケット挿入溝５１の開口部の幅（カムプレート収納溝５２及びブランケット挿入溝５１がブランケット胴５の外周面に露出する部分の幅）を極力短くしてある。したがって、印刷精度及び機械特性に悪影響を与える機械振動を極力低減することができる。また、印刷するとき、ブランケット５どうしの間で、走行紙（図示せず）に対する印刷圧力が作用しない時間を極力短くすることができ、印刷品質を向上させることができる。すなわち、ブランケット固定装置１は、輪転印刷機（図示せず）のさらなる高速化を可能とし、また、高速印刷における印刷品質をさらに向上させることができる。【００４８】
次に、印刷が終了し、ブランケット胴５の回転が停止すると、上述したように、ブランケット固定装置１は、カムプレート２の移動装置によって、カムプレート２が固定位置から固定解除位置に移動される。これにより、固定ピン３の上部が、ブランケット挿入溝５１内から内向き半径方向に退出するので、先行端６３及び後行端６４を容易にブランケット挿入溝５１から取り出すことができる。
なお、通常、印刷を行わない間は、カムプレート２は、固定位置にある。これにより、圧縮ばね３５の寿命を長くすることができる。【００４９】
以上説明したように、本実施形態のブランケット固定装置１によれば、機械振動を低減し、印刷圧力が作用しない時間を短くすることができ、さらに、機械的強度、経済性及びメンテナンス性などを向上させることができる。
また、本実施形態は、様々な応用例を有している。
次に、この応用例について、図面を参照して説明する。【００５０】
（応用例）
図７は、本発明の応用例にかかるブランケット固定装置の、固定状態における要部の概略図を示しており、（ａ）は固定ピンを説明するための拡大断面図を示しており、（ｂ）はカムプレートを説明するための断面図を示している。
図７において、本応用例のブランケット固定装置１ａは、上記実施形態のブランケット固定装置１と比べると、圧縮ばね３５を用いなくても済むように、カムプレート２ａ及び固定ピン３ａの構造を変更した点などが相違する。なおブランケット固定装置１ａの他の構成は、ブランケット固定装置１とほぼ同様としてある。
したがって、図７において、図２及び図３と同様の構成部分については同一の符号を付して、その詳細な説明を省略する。【００５１】
固定ピン３ａは、固定ピン３と比べると、カムプレート用溝３１に挿入されたカムプレート２ａの上面と当接する平行ピン３２が埋設されている点が相違する。
平行ピン３２は、金属製の円柱状のピンであり、カムプレート用溝３１の側面と直交するように、設けられている。また、平行ピン３２を設けることにより、圧縮ばね３５を使用していない。【００５２】
カムプレート２ａは、カムプレート２と比べると、カム部２２ａの幅寸法を短くし、さらに、カム部２２ａの上面に、切欠面２３及び非切欠面２４と対応する形状の、突出面２３ａ及び非突出面２４ａを形成した点が相違する。
このカムプレート２ａを固定位置に移動させると、突出面２３ａが平行ピン３２と当接することにより、固定ピン３ａは、外向き半径方向に移動し、ブランケット挿入溝５１内に進入する。そして、固定ピン３ａの上部は、ブランケット挿入溝５１の上方の斜面と固定ピン用穴５３とが交差する縁部に、先行端６３及び後行端６４を押圧し固定する。
また、カムプレート２ａを固定解除位置に移動させると、切欠面２３がカムプレート用溝３１の底面と当接することにより、固定ピン３ａの上部が、ブランケット挿入溝５１内から内向き半径方向に退出し、突出面２３ａに代わって非突出面２４ａが平行ピン３２と当接し、切欠面２３に代わって非切欠面２４がカムプレート用溝３１の底面と当接する。これにより、先行端６３及び後行端６４を容易にブランケット挿入溝５１から取り出すことができる。【００５３】
このように、本応用例のブランケット固定装置１ａによっても、ブランケット固定装置１とほぼ同様の効果を奏することができる。
また、好ましくは、図示してないが、固定ピン３ａの上部に、樹脂製又はゴム製のキャップをかぶせてもよい。このようにすると、複数の固定ピン３ａが、キャップの弾性力を利用することにより、ほぼ同じ力で、先行端６３及び後行端６４を押圧することができる。したがって、ブランケット６を確実に固定することができる。
さらに、上記のキャップをかぶせる代わりに、図示してないが、突出面２３ａの水平面に板ばねを取り付けたり、あるいは、突出面２３ａの水平面の部分を、板ばねとして機能する形状に成形してもよい。このようにすると、複数の固定ピン３ａが、板ばねの弾性力を利用することにより、ほぼ同じ力で、先行端６３及び後行端６４を押圧することができる。したがって、ブランケット６を確実に固定することができる。【００５４】
［ブランケットの固定方法の一実施形態］
本発明は、ブランケットの固定方法の発明としても有効である。
本実施形態のブランケットの固定方法は、上述した実施形態のブランケット固定装置１を用いて、ブランケット６を、ブランケット胴５に固定するブランケットの固定方法である。
このブランケットの固定方法は、カムプレート２を固定解除位置に移動させ、固定ピン３をブランケット挿入溝５１内から退出させる工程と、ブランケット挿入溝５１に、ブランケット６の先行端６３及び後行端６４を挿入する工程と、カムプレート２を固定位置に移動させ、固定ピン３をブランケット挿入溝５１内に進入させ、固定ピン３が、ブランケット挿入溝５１に挿入された先行端６３及び後行端６４を固定する工程とを有する方法としてある。【００５５】
このように、本実施形態のブランケットの固定方法は、上述したブランケット固定装置１とほぼ同様の効果を奏することができ、ブランケット挿入溝５１の幅を狭くすることによって、機械振動を低減し、印刷圧力が作用しない時間を短くすることができ、さらに、機械的強度、経済性及びメンテナンス性などを向上させることができる。【００５６】
以上、本発明のブランケット固定装置及びブランケットの固定方法について、好ましい実施形態を示して説明したが、本発明に係るブランケット固定装置及びブランケットの固定方法は、上述した実施形態にのみ限定されるものではなく、本発明の範囲で種々の変更実施が可能であることは言うまでもない。
例えば、上述した固定部材としての固定ピン３は、往復移動することにより、先行端６３及び後行端６４を固定する構成としてあるが、往復移動に限定されるものではない。たとえば、図示してないが、カムプレート２によって従動する、回転移動する固定部材を用いてもよい。
【産業上の利用可能性】
【００５７】
以上説明したように、本発明のブランケット固定装置及びブランケットの固定方法は、新聞用の輪転印刷機に用いられる場合に限定されるものではなく、たとえば、様々な印刷機にも有効に適用することができる。
【図１】
2010013318.tif 000003
【図４】
2010013318.tif 000004
【図７】
2010013318.tif 000005
【図２】
2010013318.tif 000006
【図３】
2010013318.tif 000007
【図５】
2010013318.tif 000008
【図６】
2010013318.tif 000009
【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
基材としての金属板を有し、先行端及び後行端がブランケット挿入溝に挿入されたブランケットを、ブランケット胴に固定するブランケット固定装置において、
前記ブランケット胴の外周軸心方向に形成されたカムプレート収納溝に、前記ブランケット胴の軸心方向に移動自在に収納されたカムプレートと、
前記ブランケット胴の外周面から、前記ブランケットを固定する方向に移動自在に埋設され、前記カムプレートに従動する固定部材と
を備え、
前記ブランケット挿入溝の開口部と前記カムプレート収納溝の開口部は、前記ブランケット胴の外周面において、少なくとも一部が重なっており、また、前記固定部材は、前記カムプレートが所定の固定位置に移動すると、前記ブランケット挿入溝に挿入された前記先行端及び前記後行端の少なくとも一方を固定し、かつ、前記カムプレートが所定の固定解除位置に移動すると、固定された前記先行端及び前記後行端の少なくとも一方の固定を解除する
ことを特徴とするブランケット固定装置。
【請求項２】
前記固定部材が、前記ブランケット挿入溝に挿入された前記先行端及び前記後行端の少なくとも一方を固定するとき、ばね力又は弾性力を利用して、前記ブランケット挿入溝に挿入された前記先行端及び前記後行端の少なくとも一方を押圧することを特徴とする請求項１に記載のブランケット固定装置。
【請求項３】
前記固定部材を、前記カムプレートの挿入されるカムプレート用溝の形成された固定ピンとしたことを特徴とする請求項１又は２に記載のブランケット固定装置。
【請求項４】
前記カムプレート収納溝に収納された前記カムプレートの抜けを防止し、かつ、前記カムプレート収納溝に収納された前記カムプレートの位置を規制する、位置規制手段として、前記カムプレートの挿入されるカムプレート用溝の形成されたサポートピン、及び、このサポートピンを固定する押えねじを備えたことを特徴とする請求項１〜３のいずれか一項に記載のブランケット固定装置。
【請求項５】
前記カムプレートの端部に、該カムプレートを移動させるための移動治具又は移動装置と係合する係合部を形成したことを特徴とする請求項１〜４のいずれか一項に記載のブランケット固定装置。
【請求項６】
上記請求項１〜５のいずれか一項に記載の前記ブランケット固定装置を用いて、前記ブランケットを、前記ブランケット胴に固定するブランケットの固定方法であって、
前記カムプレートを前記所定の固定解除位置に移動させ、前記固定部材を前記ブランケット挿入溝内から退出させる工程と、
前記ブランケット挿入溝に、前記ブランケットの先行端及び後行端を挿入する工程と、
前記カムプレートを前記所定の固定位置に移動させ、前記固定部材を前記ブランケット挿入溝内に進入させ、前記固定部材が、前記ブランケット挿入溝に挿入された前記先行端及び前記後行端の少なくとも一方を固定する工程と
を有することを特徴とするブランケットの固定方法。
【手続補正２】
【補正対象書類名】明細書
【補正対象項目名】００１６
【補正方法】変更
【補正の内容】
【００１６】
上記目的を達成するため、本発明のブランケット固定装置は、基材としての金属板を有し、先行端及び後行端がブランケット挿入溝に挿入されたブランケットを、ブランケット胴に固定する。このブランケット固定装置は、ブランケット胴の外周面軸心方向に形成されたカムプレート収納溝に、ブランケット胴の軸心方向に移動自在に収納されたカムプレートと、ブランケット胴の外周面から、ブランケットを固定する方向に移動自在に埋設され、カムプレートに従動する固定部材とを備えている。ブランケット挿入溝の開口部とカムプレート収納溝の開口部は、ブランケット胴の外周面において、少なくとも一部が重なっている。また、上記固定部材は、カムプレートが所定の固定位置に移動すると、ブランケット挿入溝に挿入された先行端及び後行端の少なくとも一方を固定し、かつ、カムプレートが所定の固定解除位置に移動すると、固定された先行端及び後行端の少なくとも一方の固定を解除する。
【手続補正３】
【補正対象書類名】明細書
【補正対象項目名】００１７
【補正方法】変更
【補正の内容】
【００１７】
また、本発明のブランケットの固定方法は、上記請求項１〜５のいずれか一項に記載のブランケット固定装置を用いて、ブランケットを、ブランケット胴に固定する方法としてある。このブランケットの固定方法は、カムプレートを所定の固定解除位置に移動させ、固定部材をブランケット挿入溝内から退出させる工程と、ブランケット挿入溝に、ブランケットの先行端及び後行端を挿入する工程と、カムプレートを所定の固定位置に移動させ、固定部材をブランケット挿入溝内に進入させ、固定部材が、ブランケット挿入溝に挿入された先行端及び後行端の少なくとも一方を固定する工程とを有する。
【手続補正書】
【提出日】平成21年12月28日(2009.12.28)
【手続補正１】
【補正対象書類名】特許請求の範囲
【補正対象項目名】全文
【補正方法】変更
【補正の内容】
【特許請求の範囲】
【請求項１】
基材としての金属板を有し、先行端及び後行端がブランケット挿入溝に挿入されたブランケットを、ブランケット胴に固定するブランケット固定装置において、
前記ブランケット胴の外周軸心方向に形成されたカムプレート収納溝に、前記ブランケット胴の軸心方向に移動自在に収納されたカムプレートと、
前記ブランケット胴の外周面から、前記ブランケットを固定する方向に移動自在に埋設され、前記カムプレートに従動する固定部材とを備え、
前記カムプレート収納溝の開口部は、中心線が前記ブランケット胴の外周面において、前記ブランケット挿入溝の開口部の中心線と一致するとともに、開口部の幅（W´）が前記ブランケット挿入溝の開口部の幅（W）よりも狭くなっており、
また、前記固定部材は、前記ブランケット挿入溝の幅の中心線に沿った複数箇所に加工された固定部材用穴に摺動可能に挿入されるとともに、前記カムプレートのカム部が収納されるカムプレート用溝を有し、
前記カムプレートが所定の固定位置に移動すると、前記固定部材が前記ブランケット挿入溝に挿入された前記先行端及び前記後行端の少なくとも一方を固定し、かつ、前記カムプレートが所定の固定解除位置に移動すると、前記固定部材が前記先行端及び前記後行端の少なくとも一方の固定を解除する
ことを特徴とするブランケット固定装置。
【請求項２】
前記固定部材が、前記ブランケット挿入溝に挿入された前記先行端及び前記後行端の少なくとも一方を固定するとき、ばね力又は弾性力を利用して、前記ブランケット挿入溝に挿入された前記先行端及び前記後行端の少なくとも一方を押圧することを特徴とする請求項１に記載のブランケット固定装置。
【請求項３】
前記固定部材を、固定ピンとしたことを特徴とする請求項１又は２に記載のブランケット固定装置。
【請求項４】
前記カムプレート収納溝に収納された前記カムプレートの抜けを防止し、かつ、前記カムプレート収納溝に収納された前記カムプレートの位置を規制する位置規制手段として、前記カムプレートの挿入されるカムプレート用溝の形成されたサポートピン、及び、このサポートピンを固定する押えねじを備えたことを特徴とする請求項１〜３のいずれか一項に記載のブランケット固定装置。
【請求項５】
前記カムプレートの端部に、該カムプレートを移動させるための移動治具又は移動装置と係合する係合部を形成したことを特徴とする請求項１〜４のいずれか一項に記載のブランケット固定装置。
【請求項６】
上記請求項１〜５のいずれか一項に記載の前記ブランケット固定装置を用いて、前記ブランケットを、前記ブランケット胴に固定するブランケットの固定方法であって、
前記カムプレートを前記所定の固定解除位置に移動させ、前記固定部材を前記ブランケット挿入溝内から退出させる工程と、
前記ブランケット挿入溝に、前記ブランケットの先行端及び後行端を挿入する工程と、
前記カムプレートを前記所定の固定位置に移動させ、前記固定部材を前記ブランケット挿入溝内に進入させ、前記固定部材が、前記ブランケット挿入溝に挿入された前記先行端及び前記後行端の少なくとも一方を固定する工程と
を有することを特徴とするブランケットの固定方法。
【手続補正２】
【補正対象書類名】明細書
【補正対象項目名】００１６
【補正方法】変更
【補正の内容】
【００１６】
上記目的を達成するため、本発明は、基材としての金属板を有し、先行端及び後行端がブランケット挿入溝に挿入されたブランケットを、ブランケット胴に固定するブランケット固定装置において、前記ブランケット胴の外周軸心方向に形成されたカムプレート収納溝に、前記ブランケット胴の軸心方向に移動自在に収納されたカムプレートと、前記ブランケット胴の外周面から、前記ブランケットを固定する方向に移動自在に埋設され、前記カムプレートに従動する固定部材とを備え、前記カムプレート収納溝の開口部は、中心線が前記ブランケット胴の外周面において、前記ブランケット挿入溝の開口部の中心線と一致するとともに、開口部の幅（W´）が前記ブランケット挿入溝の開口部の幅（W）よりも狭くなっており、また、前記固定部材は、前記ブランケット挿入溝の幅の中心線に沿った複数箇所に加工された固定部材用穴に摺動可能に挿入されるとともに、前記カムプレートのカム部が収納されるカムプレート用溝を有し、前記カムプレートが所定の固定位置に移動すると、前記固定部材が前記ブランケット挿入溝に挿入された前記先行端及び前記後行端の少なくとも一方を固定し、かつ、前記カムプレートが所定の固定解除位置に移動すると、前記固定部材が前記先行端及び前記後行端の少なくとも一方の固定を解除する構成としてある。
【国際調査報告】
2010013318.tif 000010
2010013318.tif 000011
2010013318.tif 000012
2010013318.tif 000013
2010013318.tif 000014
2010013318.tif 000015